(57)【特許請求の範囲】
【請求項１】
電源側端子、固定側接点、可動側接点、可動接点台、過電流引き外しリレー部、導体、及び負荷側端子より構成される主回路と、前記可動接点台を動かすことにより前記主回路の接点を引き外す開閉引き外し機構部と、前記開閉引き外し機構部の開閉及び引き外しを外部より操作するための操作ハンドルと、更に、前記主回路の漏電を検出する漏電検出手段と、を備え、これらを本体モールドカバー及び本体ケース内に一体に収納してなる回路遮断器において、
前記本体モールドカバーの表面側において、前記操作ハンドルの両側に収納部を設け、
該収納部は、前記本体モールドカバーに設けた補助カバーによりカバーされ、
該一方の収納部には、漏電検出・引き外し回路、漏電引き外し装置、及び外部操作により該漏電引き外し装置を動作させる漏電テスト部を設け、
前記漏電引き外し装置のレバーは、漏電表示釦に係合し、
該漏電表示釦は、漏電が発生し前記漏電引き外し装置が動作すると係合部が外れて外部へ突出し、かつ、リセットレバー及びリセットバネに連動して前記操作ハンドルのリセットによりリセットすることを特徴とする回路遮断器。
【発明の詳細な説明】
【技術分野】
【０００１】
本発明は、電源からの電力を接点を介して負荷に接続すると共に、過負荷や短絡事故により自動的に当該接点を遮断する回路遮断器に関し、特に、使い勝手や組み立て性に優れ、低コストで、かつ、進んだ部品の標準化に適した構造を備えた回路遮断器に関する。
【背景技術】
【０００２】
従来の漏電遮断器を含む回路遮断器の構造では、一般に、主回路は、各極（例えば、３極）毎に、電源側端子台、固定側接点、可動側接点、可動接点台、可とう導体、過電流リレー部、負荷側端子台によって構成されており、機構部が各極の可動接点台と連動し、また、漏電検出用の零相変流器（ＺＣＴ）は各極の主回路が貫通するように設置されている。そして、零相変流器には漏電検出・引き外し回路が接続され、漏電検出・引き外し回路には漏電引き外し兼漏電表示装置が接続されている。
【０００３】
かかる構成の回路遮断器では、過電流が主回路に通電された場合には、設定された過電流動作特性に応じて、過電流リレー部が動作し、機構部のラッチを引き外し、これにより可動接点台を動かして主回路を直ちに開路させる。
【０００４】
また、上記主回路の漏電は、零相変流器の出力より検出され、設定された値以上の漏電が発生した場合に、漏電検出・引き外し回路は、漏電引き外し兼漏電表示装置を動作させる。そして、この漏電引き外し装置が動作すると、その機械的出力は機構部のラッチを引き外し、可動接点台を動かし、主回路を直ちに開路させる。前記主回路構成部品、機構部・引き外し装置、零相変流器、漏電検出・引き外し回路、及び漏電引き外し兼漏電表示装置は、通常、一体の本体モールドケースと本体モールドカバーの内部に収納され、これらのケースが装置の外郭をなしている。また、機構部にはこれに連動したハンドルが設けられ、このハンドルは本体モールドカバーの開口部より遮断器の外部に突出しており、この遮断器の外部よりハンドルを操作する事により、主回路を開閉できるようになっている。
【０００５】
そして、上記漏電引き外し兼漏電表示装置の漏電表示釦は、漏電引き外し装置が動作した場合に、本体モールドカバーの開口部より漏電遮断器外部に突出して漏電の発生を外部に表示するようになっており、漏電表示釦と漏電引き外し装置は機構部、もしくは、ハンドルと連動して、機構部をリセットした場合にリセットされる構造になっている。また、同様に、漏電テスト釦が本体モールドカバーの開口部より漏電遮断器外部に突出して設けられており、外部より漏電テスト釦を操作して漏電遮断器のテスト動作を確認できるようになっている。このように、漏電検出・引き外し回路及び漏電引き外し兼漏電表示装置は、本体モールドケース側に固定され、本体モールドカバーに覆われた構造となっている。また、漏電表示釦の外部表示のための開口部を設けた本体モールドカバーは、同外形寸法の配線用遮断器用本体モールドカバーとはその漏電表示部形状が異なり、漏電遮断器用の本体モールドカバーは、漏電遮断器の専用部品となっている。
【発明の開示】
【発明が解決しようとする課題】
【０００６】
しかしながら、上記に説明した従来技術では、回路遮断器の構造についての下記に述べる点については考慮されていなかった。
（１）外形同寸法の漏電遮断器（すなわち、漏電引き外し機能を持つ回路遮断器）と配線遮断器（すなわち、漏電引き外し機能を持たない回路遮断器）の部品の共用化；
（２）配線遮断器から漏電遮断器への機能付加；
（３）回路遮断器の内部付属装置取付方法の簡易化；
（４）漏電遮断器の漏電検出・引き外し回路、漏電引き外し装置等の部品交換；
（５）回路遮断器のコスト；及び
（６）回路遮断器の組立性。
【０００７】
そこで、本発明では、上記の従来技術における回路遮断器における問題点に鑑みて、配線遮断器から漏電遮断器への機能付加が可能で、漏電遮断器を構成するための漏電検出・引き外し回路、漏電引き外し装置等の内部付属部品の交換が簡単であり、もって、使い勝手や組み立て性に優れ、低コストで、かつ、進んだ部品の標準化に適した構造を備えた回路遮断器を提供することを目的とする。
【課題を解決するための手段】
【０００８】
上記の目的を達成するため、本発明によれば、電源側端子、固定側接点、可動側接点、可動接点台、過電流引き外しリレー部、導体、及び負荷側端子より構成される主回路と、前記可動接点台を動かすことにより前記主回路の接点を引き外す開閉引き外し機構部と、前記開閉引き外し機構部の開閉及び引き外しを外部より操作するための操作ハンドルと、更に、前記主回路の漏電を検出する漏電検出手段と、を備え、これらを本体モールドカバー及び本体ケース内に一体に収納してなる回路遮断器において、
前記本体モールドカバーの表面側において、前記操作ハンドルの両側に収納部を設け、
該収納部は、前記本体モールドカバーに設けた補助カバーによりカバーされ、
該一方の収納部には、漏電検出・引き外し回路、漏電引き外し装置、及び外部操作により該漏電引き外し装置を動作させる漏電テスト部を設け、
前記漏電引き外し装置のレバーは、漏電表示釦に係合し、
該漏電表示釦は、漏電が発生し前記漏電引き外し装置が動作すると係合部が外れて外部へ突出し、かつ、リセットレバー及びリセットバネに連動して前記操作ハンドルのリセットによりリセットすることを特徴とする回路遮断器を提供するものである。
【０００９】
また、以下に詳述する本発明の実施の形態によれば、上記の本発明の目的を達成するため：
（Ａ）漏電引き外し装置、漏電表示器、漏電検出用センサー、及び、導体収納部分に外部より開閉または取り付け・取り外し可能な補助カバーを具備し、本体モールドカバーを開けることなく、前記補助カバーを開けた、または、取り外した状態で前記収納物を外部より取り付け・固定できる構造とする。
（Ｂ）回路検出・引き外し回路、回路引き外し装置及び回路表示器を一体のケース等に収納してユニット化する。
（Ｃ）回路遮断器の内部付属装置であるテスト釦リード線又は回路警報接点出力線等の配線部分を回路検出・引き外し回路、回路引き外し装置、回路テスト部に設ける。
すなわち、本発明は、構造が簡単で、寸法が小さく、安価で、組立性の良い回路遮断器を提供するものである。
【発明の効果】
【００１０】
本発明によれば下記の効果を得ることが出来る。
（１）外形同寸法の漏電遮断器（漏電引き外し機能を持つ回路遮断器）と配線遮断器（漏電引き外し機能を持たない回路遮断器）の部品共用化；
（２）配線遮断器から漏電遮断器への機能付加が可能；
（３）回路遮断器の内部付属装置取付方法の簡易化；
（４）漏電遮断器の回路検出・引き外し回路、漏電引き外し装置等の部品交換が容易；
（５）回路遮断器のコスト低減；そして、
（６）回路遮断器の組立性の向上。
【発明を実施するための最良の形態】
【００１１】
以下、本発明の実施の形態について、添付図面を参照しながら詳細に説明する。
【実施例１】
【００１２】
まず、図２及び図３には、本発明の一実施の形態になる回路遮断器の内部構造が示されており、これらの図２及び図３において、電源からの電力を負荷に接続する主回路は、これらの図中にも示されるように、電源側端子台１、固定側接点２、可動側接点３、可動接点台４、可撓導体５、過電流リレー部８、８…、導体３５、負荷側端子台６などによって構成されており、一方、機構部７（図中に破線で示す）は可動接点台４と連動しており、これにより上記主回路の接点（上記可動側接点３と上記可動接点台４との間の接点）を開閉する構造になっている。
【００１３】
また、ハンドル１７は、上記機構部７に連結して、本体モールドカバー１２の上面側の開口部より上記回路遮断器の外部に突出して設けられており、これにより、上記ハンドル１７を当該回路遮断器の外部より操作することによっても、やはり、上記主回路の接点を開閉することが出来る構造になっている。そして、上記主回路に過電流が通電された場合には、設定された過電流動作特性に応じて上記過電流リレー部８、８…が動作し、上記機構部７のラッチ機構を引き外すことにより可動接点台４を動かして主回路を直ちに開路状態とさせる。
【００１４】
なお、前記した主回路の構成部品、機構部、さらには、ハンドル１７などは、図にも明らかなように、本体モールドケース１０と本体モールドカバー１２の内部に形成された空間内に収納されており、これら本体モールドケース１０と本体モールドカバー１２は、上記回路遮断器の外郭をなしている。そして、添付の図４の回路遮断器のモールドカバーの上面図から明らかなように、上記本体モールドカバー１２の機構部７と導体３５の収納部付近には、補助カバー１４が設けられ、この補助カバー１４は上記本体モールドカバー１２上に固定され、これにより、やはり、上記回路遮断器の外郭をなしている。
【００１５】
なお、上記回路遮断器では、図示しないが、上記過電流リレー部８及び負荷側端子台６と上記導体３５との接続は接合ネジによって接合されており、この接合ネジは本体モールドカバー１２を取り外すことなく、上記補助カバー１４を取り外すことにより、外部よりこれを締め付け、あるいは、緩めて取り外すことが可能な構造となっている。
【００１６】
また、図４にも示すように、この本体モールドカバー１２の一部には、さらに、他の補助カバー１４’が設けられており、その下側には、添付の図５及び図１にも示すように、上記回路遮断器の設置後でも、漏電検出・引き外し要素１００を収納することが出来るように、収納用の空間２００が設けられている。すなわち、これら図５及び図１には、回路遮断器の上記収納用の空間２００内に上記漏電検出・引き外し要素１００を収納して取り付けた状態が示されており、図２にも示したように、漏電検出センサーである零相変流器（ＺＣＴ）９とその貫通導体を前記各極の主回路が貫通するように設置されている。
【００１７】
そして、この零相変流器（ＺＣＴ）９には漏電検出・引き外し回路１１が接続されており、さらに、この漏電検出・引き外し回路１１には、漏電引き外し装置１３と漏電テスト部２０とが接続されており、この漏電引き外し装置１３は漏電表示器１５と連動している。
【００１８】
上記にその構成を説明した回路遮断器において、その主回路に過電流が流れた場合に、上記過電流リレー部８は、設定された過電流動作特性に応じて動作し、機構部７のラッチ機構を引き外す。これにより、この機構部７は、上記可動接点台４を動かして上記主回路を開路させる。一方、上記主回路の漏電は、上記零相変流器（ＺＣＴ）９の出力により検出される。そして、この検出された信号により、設定された値以上の漏電が発生した場合には、上記漏電検出・引き外し回路１１が漏電引き外し装置１３を動作させる。すなわち、この漏電引き外し装置１３が動作すると、その機械的出力は上記機構部７のラッチ機構を引き外し、可動接点台４を動かして上記主回路を直ちに開路させる。
【００１９】
また、上記漏電表示器１５は、上記漏電引き外し装置１３に連動して動作し、漏電動作を行った際に、漏電により主回路の引き外しを行った履歴を外部に表示し、上記漏電引き外し装置１３と共にハンドル１７又は機構部７のリセット動作でリセットされるようになっている。また、上記の漏電テスト部２０は、外部より操作することにより漏電引き外し装置１３を動作させる。
【００２０】
なお、これらの主回路構成部品、機構部、引き外し装置、さらに、上記零相変流器（ＺＣＴ）９は、上記のように、一体の本体モールドケース１０と本体モールドカバー１２の内部に収納されている。また、上記機構部７に連動したハンドル１７は、上記本体モールドカバー１２の上面略中央部に形成された開口部より外側に突出しており、このハンドル１７を操作することにより上記主回路を開閉出来るようになっていることは勿論である。そして、上記漏電検出・引き外し回路１１、上記漏電引き外し装置１３、上記漏電表示器１５、及び、上記漏電テスト部２０は、上記本体モールドカバー１２の一部に、すなわち、上記補助カバー１４、１４’により、本体モールドカバー１２内に形成した収納用の空間２００に収納されている。
【００２１】
そして、上記本体モールドカバー１２の収納用の空間２００の外側には上記の補助カバー１４’が設けられており、この補助カバー１４’は上記本体モールドカバー１２に固定されて回路遮断器の外郭を構成している。そして、この補助カバー１４’の一部には開口部が設けられ、この開口部により、上記漏電テスト部２０の操作部と上記漏電表示器１５の表示部が、上記回路遮断器の外郭に接している。
【００２２】
次に、図６〜図１１により、上記漏電検出・引き外し回路１１、上記漏電引き外し装置１３、上記漏電表示器１５、及び、上記漏電テスト部の詳細を示す。
【００２３】
上記漏電引き外し装置１３の近傍には、機械的出力を機構部７へ伝達するためのレバー２１、及び、機械的出力を発生されるためのバネ２２が設けられている。前記レバー２１には、漏電の発生により主回路を開路したことを外部に表示する漏電表示釦１８が係合しており、この漏電表示釦１８には漏電表示バネ２３により外部に突出する力が加えられている。さらに、この漏電表示釦１８には、上記機構部７のリセットによりこの漏電表示釦１８をリセットするためのリセットレバー２４とリセットバネ２５とが連動している。
【００２４】
なお、これらの部品は、図７にも示す補助ケース２８内に収納され、これにより、一体の漏電ユニット部を構成している。なお、この漏電ユニットは、上記本体モールドカバー１２と補助カバー１４’とにより固定されている。
【００２５】
また、上記漏電ユニット部の動作には、リセット状態と動作状態とがあり、リセット状態では上記レバー２１には漏電表示釦１８が係合しており、一方、上記漏電引き外し装置１３が動作し、上記レバー２１が動作すると、前記係合部が外れ、上記漏電表示釦１８は漏電表示バネ２３に蓄えられた力により外部に突出した状態となる。
【００２６】
一方、機構部７の構成部品であるフック２６は、上記機構部７が引き外し動作を行ったときにのみ回転し、漏電引き外し装置１３が動作して上記機構部７が引き外し動作を行うと、上記フック２６に取り付けられたフックレバー２７を介して上記リセットレバー２４を押し上げる。すなわち、このリセットレバー２４は、上記のリセット状態では、リセットバネ２５の力により漏電表示釦１８を漏電表示バネ２３の力より大きな力で押さえつけて突出しないようにしている。
【００２７】
また、上記回路遮断器のハンドル１７をリセットすると、上記フック２６がハンドル１７の動作と共に回転し、フックレバー２７により押し上げられていたリセットレバー２４が、リセットバネ２５の力により戻り、漏電表示釦１８をリセットする。さらに、漏電引き外し装置１３は、その動作直後、上記機構部７が引き外し動作を行って、上記フック２６及びフックレバー２７が回転し、これによりレバー２１をリセット方向に回転させ、これにより、レバー２１によりリセットされるようになっている。
【００２８】
なお、上記の図５及び図１には、上記した付属装置を回路遮断器の内部に取り付けた状態を示しており、図中の符号３０は、テスト釦リード線を示しており、図中の符号３１は、漏電警報接点出力リード線を示している。まず、このテスト釦リード線３０は、上記漏電検出・引き外し回路１１に接続されており、上記補助カバー１４’と本体モールドカバー１２との間より回路遮断器の外部に取り出されている。他方、漏電警報接点出力リード線３１は、内部のマイクロスイッチ２９に接続され、やはり、上記テスト釦リード線３０と同様に回路遮断器の外部に取り出されている。なお、このマイクロスイッチ２９は上記漏電表示釦１８と連動しており、この漏電表示釦１８が外部に突出している間、接点を出力が外部より取れるようになっている。
【００２９】
すなわち、本発明による上記のようなを回路遮断器の構造によれば、上記漏電検出・引き外し回路１１、上記漏電引き外し装置１３、上記漏電表示器１５、上記の漏電テスト部２０などを、あるいは、上記の漏電ユニットを、回路遮断器の外部より、その本体モールドカバー１２を取り外すことなく、その補助カバー１４、１４’のみを取り外し、または、これを開閉するだけでその交換や取付けが可能となる。
【図面の簡単な説明】
【００３０】
【図１】内部に漏電引き外し機能を備えた本発明の実施の形態になる回路遮断器の内部構造を説明する図４のＢ−Ｂ断面図である。
【図２】上記本発明の実施の形態になる回路遮断器の内部構造を説明する図４のＡ−Ａ断面図である。
【図３】上記本発明の実施の形態になる回路遮断器の内部構造を説明する上面図である。
【図４】上記本発明の実施の形態になる回路遮断器の外観構造を示す上面図である。
【図５】上記図４の回路遮断器の補助カバーを開けてその内部に漏電引き外し機能を備えた状態を示す上面図である。
【図６】上記補助カバー内に収納される漏電引き外し機能を備えたユニットの上面と、そのＣ−Ｃ断面及びＤ−Ｄ断面を示す図である。
【図７】上記図６の補助カバー内に収納される漏電引き外し機能を備えたユニットのＥ−Ｅ断面を示す図である。
【図８】上記補助カバー内に収納される漏電引き外し機能を備えたユニットの上面と、その断面及び漏電引き外し機能を備えたユニットの断面を示す図である。
【図９】上記漏電引き外し機能を備えたユニットの動作を説明する断面図である。
【図１０】やはり、上記漏電引き外し機能を備えたユニットの動作を説明する断面図である。
【図１１】やはり、上記漏電引き外し機能を備えたユニットの動作を説明する断面図である。
【符号の説明】
【００３１】
１  電源側端子台
２  固定側接点
３  可動側接点
４  可動接点台
５  可とう導体
６  負荷側端子台
７  機構部
８  過電流リレー部
９  零相変流器（ＺＣＴ）
１０  本体モールドケース
１１  漏電検出・引き外し回路
１２  本体モールドカバー
１３  漏電引き外し装置
１４  補助カバー
１５  漏電表示器
１７  ハンドル
１８  漏電表示釦
２０  漏電テスト部
２１  レバー
２２  バネ
２３  漏電表示バネ
２４  リセットレバー
２５  リセットバネ
２６  フック
２７  フックレバー
２８  補助ケース
２９  マイクロスイッチ
３０  テスト釦リード線
３１  漏電警報接点出力リード線
１００  漏電検出・引き外し要素
２００  収納用の空間
【図１】
0004625518.tif 000002
【図２】
0004625518.tif 000003
【図３】
0004625518.tif 000004
【図４】
0004625518.tif 000005
【図５】
0004625518.tif 000006
【図６】
0004625518.tif 000007
【図７】
0004625518.tif 000008
【図８】
0004625518.tif 000009
【図９】
0004625518.tif 000010
【図１０】
0004625518.tif 000011
【図１１】
0004625518.tif 000012